(57)【要約】  【課題】  ディスプレイを使用位置に係合する係合手段の耐久性を向上し、また、ＧＮＤ能力を向上できるディスプレイ装置を提供する。  【解決手段】  ディスプレイ３は、支持手段であるヒンジ部４に回動可能に支持されている。ヒンジ部４には、ディスプレイ３が所定の使用位置に回動したときに係合する係合手段が設けられる。係合手段は、ディスプレイ３が所定の使用位置まで回動したときに複数の係合箇所で係合するように構成されている。係合手段は、ヒンジ部を構成する固定部材と回動部材とを備え、固定部材及び回動部材の一方が複数の凸部を有し、他方が複数の凹部を有しており、これら複数の凸部と複数の凹部が係合するように配置されている。【選択図】  図１
2006168402.tif 000002
【特許請求の範囲】
【請求項１】
ディスプレイと、前記ディスプレイを回動可能に支持した支持手段と、前記ディスプレイが所定の使用位置に回動したときに係合する少なくとも一の係合手段とを備え、前記係合手段は、前記ディスプレイが前記所定の使用位置まで回動したときに複数の係合箇所で係合するように構成されていることを特徴とするディスプレイ装置。
【請求項２】
前記係合手段は、固定部材と、前記ディスプレイの回動に伴って回動する回動部材とを備え、前記固定部材及び前記回動部材の一方が複数の凸部を有し、他方が複数の凹部を有しており、前記複数の凸部と前記複数の凹部とが係合するように配置されていることを特徴とする請求項１に記載のディスプレイ装置。
【請求項３】
前記係合手段では、各々の凸部に対応して複数の凹部が周方向に離れて設けられていることを特徴とする請求項２に記載のディスプレイ装置。
【請求項４】
前記係合手段では、前記複数の凸部の位置が、前記回動部材の回動中心からの距離がそれぞれ異なった位置に設定されていることを特徴とする請求項３に記載のディスプレイ装置。
【請求項５】
請求項１ないし４のいずれかに記載のディスプレイ装置を備え、天井に搭載された天井搭載型ディスプレイ装置。
【発明の詳細な説明】
【技術分野】
【０００１】
本発明は、ディスプレイを回動可能に支持したディスプレイ装置に関する。
【背景技術】
【０００２】
従来、車両などでは、ディスプレイが回動可能に設けられることがある。この種のディスプレイ装置は、例えば、特許文献１に開示されており、同文献では、ディスプレイの両側にヒンジが設けられている。
【０００３】
特許文献１では、ディスプレイの位置が無段階で調整される。このような無段階調整タイプと異なり、図１１〜図１３に示されるように、ディスプレイが所定の使用位置でロックされるタイプのディスプレイ装置も提案されている。
【０００４】
図１１において、ディスプレイ１００は、両側のヒンジ１０２、１０４で支持されている。図１２は、ヒンジ１０２を模式的に示しており、ヒンジ１０２は係合手段を有している。係合手段は、ブラケット１０６と回動ばね１０８で構成されている。ブラケット１０６は固定されており、ヒンジ軸を回動可能に支持している。回動ばね１０８は、ヒンジ軸と共に回動するように設けられている。そして、ブラケット１０６に１つの凹部１１０が設けられ、回動ばね１０８に１つの凸部１１２が設けられている。ディスプレイ１００が回動して所定の使用位置まで到達すると、凸部１１２が凹部１１０に達する。そして、図１３に示されるように、凸部１１２と凹部１１０が係合し、これによりディスプレイ１００の位置がロックされる。なお、図１３の断面図に点線で示されるように、凸部１１２と凹部１１０がずれているときは、凸部１１２がブラケット１０６と回動ばね１０８の間に介在するため、回動ばね１０８が弾性変形し、反っており、これにより凸部１１２がばね圧でブラケット１０６に押しつけられる。
【０００５】
上記ように、従来は、１個の凹部と１個の凸部の組合せからなる係合手段が設けられている。そして、このような係合手段がディスプレイの片側のヒンジに設けられ、あるいは、同様の構成の係合手段がディスプレイの両側のヒンジに設けられている。
【特許文献１】特開平２−８６２７７号公報（第２ページ、第２図）
【発明の開示】
【発明が解決しようとする課題】
【０００６】
しかしながら、従来のディスプレイ装置においては、係合箇所以外では、図１３の断面図に点線で示したように、凸部がばね圧でブラケットに押しつけられ、摺動する。そのため、使用回数が多くなると、凸部の摩耗が生じ、係合部の保持力が低下してしまうという問題があった。
【０００７】
また、従来のディスプレイ装置においては、電気的なＧＮＤ（接地）として装置の筐体を利用している、すなわちＧＮＤレベルを装置の筐体に設定していることが多い。しかしながら、金属間接触を係合部分（凹凸）で得ていると、接触が不十分なために係合部分のインピーダンスが高くなりＧＮＤ力が低くなる（ＧＮＤレベルが不安定になる）。しかも、経年使用に伴ってばね力が低下して、係合部の接圧が劣化し、さらにＧＮＤ力が低下する傾向がある。このように、従来のディスプレイ装置では、ＧＮＤに関して電気的性能が低いという課題があった。
【０００８】
本発明は、従来の問題を解決するためになされたもので、その目的は、係合手段の耐久性を向上でき、電気的性能も向上できるディスプレイ装置を提供することにある。
【課題を解決するための手段】
【０００９】
本発明のディスプレイ装置は、ディスプレイと、前記ディスプレイを回動可能に支持した支持手段と、前記ディスプレイが所定の使用位置に回動したときに係合する少なくとも一の係合手段とを備え、前記係合手段は、前記ディスプレイが前記所定の使用位置まで回動したときに複数の係合箇所で係合するように構成されている。上記の係合手段は例えばディスプレイの一端に設けられ、また例えば両端に設けられる。
【００１０】
この構成により、ディスプレイが使用位置まで回動したときに複数の係合箇所で係合するように係合手段を構成したので、同じ保持力を得るための係合箇所への負荷を小さくでき、したがって係合箇所での負荷を軽減でき、これにより、係合手段の耐久性を向上できる。また、係合箇所の増加によりＧＮＤ力を向上し、電気的性能を向上できる。
【００１１】
また、本発明のディスプレイ装置において、前記係合手段は、固定部材と、前記ディスプレイの回動に伴って回動する回動部材とを備え、前記固定部材及び前記回動部材の一方が複数の凸部を有し、他方が複数の凹部を有しており、前記複数の凸部と前記複数の凹部とが係合するように配置されている。この構成により、複数の凸部を設けたことで、凸部への負荷を軽減し、凸部の摩耗を低減して、係合手段の耐久性を向上できる。
【００１２】
また、本発明のディスプレイ装置において、前記係合手段では、各々の凸部に対応して複数の凹部が周方向に離れて設けられている。この構成により、複数の使用位置でディスプレイを使用可能になる。
【００１３】
また、本発明のディスプレイ装置において、前記係合手段では、前記複数の凸部の位置が、前記回動部材の回動中心からの距離がそれぞれ異なった位置に設定されている。この構成により、複数の使用位置でディスプレイを使用可能にする構成を少スペースで提供できる。
【００１４】
また、本発明の天井搭載ディスプレイ装置は、上述のディスプレイ装置を備え、天井に搭載されるように構成されている。この構成により、車両等の天井搭載型ディスプレイ装置において、係合手段の耐久性を向上でき、また、ＧＮＤに関する電気的性能を向上できる。
【発明の効果】
【００１５】
本発明は、ディスプレイが使用位置まで回動したときに複数の係合箇所で係合するように構成された係合手段を設けることにより、係合手段の耐久性を向上でき、また、ＧＮＤに関する電気的性能を向上できるという効果を有するディスプレイ装置を提供することができる。
【発明を実施するための最良の形態】
【００１６】
以下、本発明の実施の形態のディスプレイ装置について、図面を用いて説明する。
【００１７】
本発明の実施の形態のディスプレイ装置を図１〜図６に示す。まず、図４〜図６を参照して、ディスプレイ装置の全体構成について説明し、それから、図１に戻り、ディスプレイ装置の構成の詳細を説明する。
【００１８】
図４〜図６は、本実施の形態のディスプレイ装置の全体構成を示している。ディスプレイ装置１は、ベース部２とディスプレイ３を有している。ディスプレイ３は、液晶等の平面ディスプレイであり、ヒンジ部４でベース部２に回動可能に支持されている。ヒンジ部４は本発明の支持手段に相当する。
【００１９】
本実施の形態のディスプレイ装置１は車両用であり、図４〜図６に示される姿勢で車室の天井に設置されている。設置状態では、ベース部２の機構部分が天井の内張によって隠されている。図４は全閉状態であり、図５は半開状態、図６は全開状態である。図４の全閉状態では、ディスプレイ３の画面が天井を向いており、ディスプレイが収納位置にある。ディスプレイ３に設けられた解除ボタン５が押されると、ロックが解除され、図５および図６に示されるようにディスプレイ３を回動して開くことができる。
【００２０】
図１は、ディスプレイ装置１の分解斜視図であり、ディスプレイ３とヒンジ部４を示している。ヒンジ部４は右ヒンジ部６および左ヒンジ部７で構成されており、右ヒンジ部６および左ヒンジ部７はそれぞれディスプレイ３の右側および左側に配置されている。
【００２１】
右ヒンジ部６は、ベース部２に固定された右ブラケット１１と、右ブラケット１１に回動可能に設けられた右シャフト１３とを備え、右シャフト１３がディスプレイ３の基端部に固定されている。同様に、左ヒンジ部７は、ベース部２に固定された左ブラケット１５と、左ブラケット１５に回動可能に設けられた左シャフト１７とを備え、左シャフト１７がディスプレイ３の基端部に固定されている。
【００２２】
ここで、以下の説明では、回動軸Ｘに沿ってディスプレイ３の中央に近い側を内側といい、ディスプレイ３の中央から遠い側を外側という。
【００２３】
図２は、右ヒンジ部６の分解斜視図である。右ヒンジ部６は、右ブラケット１１、右シャフト１３、クリックワッシャ２１、スプリングプレート２３および平座金２５を備えており、これらは共に鉄製である。
【００２４】
右ブラケット１１は、図示されないベース部に固定された取付部３１と、取付部３１に垂直な壁部３３を有している。壁部３３の穴３５に右シャフト１３が通され、これにより右シャフト１３が回動可能に支持されている。すなわち、壁３３の穴３５は右シャフト１３の軸受として機能する。
【００２５】
右シャフト１３は、内側端の取付部３７にてディスプレイ３に固定されている。右シャフト１３の外側端の近くにはフランジ３９が設けられている。右シャフト１３が右ブラケット１１の穴３５に挿入された状態では、フランジ３９とブラケット１１の壁部３３とにクリックワッシャ２１が挟まれている。
【００２６】
クリックワッシャ２１は円板形状を有しており、中央の穴に右シャフト１３が通されている。クリックワッシャ２１の中央の穴は右シャフト１３と係合する形状を有している。より詳細には、中央の穴に２本の平行な直線部分が設けられ、これら直線部分が右シャフト１３の端部の平行な２平面に係合している。これにより、クリックワッシャ２１は右シャフト１３と係合し、右シャフト１３と共に回動し、右ブラケット１１に対して摺動する。
【００２７】
右シャフト１３の外側端部は、右ブラケット１１を貫通して突き出している。そして、突き出した部分にスプリングプレート２３および平座金２５が順次はめ込まれている。スプリングプレート２３および平座金２５は、円板形状を有している。また、クリックワッシャ２１と同様に、スプリングプレート２３および平座金２５の中央の穴に右シャフト１３が通され、係合している。これにより、スプリングプレート２３および平座金２５も右シャフト１３と共に回動する。平座金２５により、右ヒンジ部６の構成間の軸方向の位置関係が維持されている。そして、スプリングプレート２３により、右ブラケット１１、右シャフト１３およびクリックワッシャ２１が互いに押圧されている。
【００２８】
次に、本実施の形態における係合手段の構成について説明する。クリックワッシャ２１には、２本のアーム部４１が放射状に延びるように設けられている。２本のアーム部４１は、ヒンジ軸Ｘを中心として反対側に位置している。そして、各アーム部４１には、右ブラケット１１を向くように凸部４３が設けられている。
【００２９】
一方、右ブラケット１１の壁部３３には、凸部４３と対応する位置に２つの凹部４５、４７が設けられている。凹部４５、４７は貫通穴で構成されている。凹部４５、４７は、回動軸Ｘからの距離が凸部４３と同じに設定されている。２つの凸部４３に対応して、凹部４５、４７も２つずつ設けられている。また、凹部４５、４７は、回動軸Ｘを中心とする円周上でずれた位置にある。
【００３０】
凹部４５、４７は、本実施の形態のディスプレイ装置１で設定されている２つの使用位置に対応している。ディスプレイ３が第１の使用位置にあるときに凸部４３が第１の凹部４５と対面し、第２の使用位置にあるときには凸部４３が第２の凹部４７と対面する。
【００３１】
凸部４３が凹部４５および凹部４７からずれた位置にあるときは、凸部４３がクリックワッシャ２１と右ブラケット１１の間に介在するために、クリックワッシャ２１のアーム部４１が撓み変形している。凸部４３が凹部４５または凹部４７に達すると、アーム部４１の変形が回復し、凸部４３が凹部４５または凹部４７に嵌り込み、係合状態が得られる。
【００３２】
また、クリックワッシャ２１には、凹部４５、４７からずれた位置に、円弧状の凸部４９が設けられている。円弧状の凸部４９は、クリックワッシャ２１の凸部４３が通る経路に沿って延びており、平坦部およびテーパ部（スロープ部）で構成されている。円弧状の凸部４９では、クリックワッシャ２１の凸部４３が押し上げられ、これによりクリックワッシャ２１が変形し、クリックワッシャ２１が右ブラケット１１を付勢し、ディスプレイ３の回動に抵抗するトルクが増大する。回円弧状の凸部４９の形状は、操作時に適度な抵抗感（手応え感）を与えるトルクが得られるように設定されている。
【００３３】
図３は、左ヒンジ部７の分解斜視図である。左ヒンジ部７は、左ブラケット１５、左シャフト１７、クリックワッシャ２１、スプリングプレート２３および平座金２５を備えている。右ヒンジ部６と同様、左ヒンジ部７でも、左ブラケット１５に左シャフト１７が通されており、左ブラケット１５と左シャフト１７の間にクリックワッシャ２１が挟まれており、左ブラケット１５の反対側ではスプリングプレート２３および平座金２５が左シャフト１７に嵌め込まれている。そして、右ヒンジ部６と同様、左ヒンジ部７でも、クリックワッシャ２１のアーム部４１に凸部４３が設けられ、左ブラケット１５に凹部４５、４７が設けられ、これらにより係合手段が構成されている。左ヒンジ部７の構成は、右ヒンジ部６の構成と同様であり、詳細な説明は省略する。
【００３４】
以上に、本実施の形態のディスプレイ装置１の構成を説明した。次に、本実施の形態のディスプレイ装置１の動作を説明する。
【００３５】
まず、ディスプレイ３が開くときの動作を説明する。ディスプレイ装置１のボタン５（図４参照）が押されると、ディスプレイ３のロックが解除されて、ディスプレイ３がヒンジ部４の回動軸を中心に回動可能になる。そして、ディスプレイ３の先端は自重である程度下に下がる。ディスプレイ３の先端がユーザにより手動で押し下げられ、ディスプレイ３はさらに回動する（図５、図６）。
【００３６】
このとき、右ヒンジ部６では、クリックワッシャ２１が右シャフト１３と共に回動する。クリックワッシャ２１は右ブラケット１１に対して回動する。ディスプレイ３が第１の使用位置に達すると、クリックワッシャ２１の２つの凸部４３が、同時に、右ブラケット１１の２つの凹部４５に達し、２つの凹部４５に嵌り込み、係合する。同様に、左ヒンジ部７でも、クリックワッシャ２１が左ブラケット１５に対して回動する。そして、ディスプレイ３が第１の使用位置に達すると、クリックワッシャ２１の２つの凸部４３が、同時に、左ブラケット１５の２つの凹部４５に達し、２つの凹部４５に嵌り込み、係合する。このようにして、ディスプレイ３は第１の使用位置でロックされる。
【００３７】
ユーザによりさらにディスプレイ３の先端が押されると、ディスプレイ３がさらに回動する。このとき、右ヒンジ部６および左ヒンジ部７では、クリックワッシャ２１の凸部４３が凹部４５から外れ、クリックワッシャ２１がさらに回動する。ディスプレイ３が第２の使用位置に達すると、クリックワッシャ２１の凸部４３が凹部４７に達する。右ヒンジ部６および左ヒンジ部７の各々において、２つの凸部４３が、同時に、２つの凹部４７に嵌り、係合する。これにより、ディスプレイ３が第２の使用位置でロックされる。
【００３８】
次に、ディスプレイ３が閉じるときの動作を説明する。ディスプレイ３が閉じるときは、ディスプレイ３がユーザの手で押されて回動する。このとき、右ヒンジ部６および左ヒンジ部７では、クリックワッシャ２１の凸部４３が凹部４７から外れ、ロック状態が解除される。ディスプレイ３が回動すると、クリックワッシャ２１の凸部４３はブラケットの凹部４５に嵌り、係合する。ディスプレイ３がさらに押されると、クリックワッシャ２１の凸部４３は凹部４５から外れ、ディスプレイ３は回動して収納位置に至る。ディスプレイ３が収納位置に到達すると、自動的にロックが作動して、ディスプレイ３が収納位置にロックされる。
【００３９】
ここで、本実施の形態では、右ヒンジ部６および左ヒンジ部７の各々の係合手段には、１８０度反対の２つの係合箇所が設けられている（なお、本実施の形態では「２つの係合箇所」が２組あり、１組目は、２つの凹部４５のペアであり、２組目は、２つの凹部４７からなるペアである）。２つの係合箇所を設けたことで、係合箇所が１つである従来技術と比べて、同じ保持力を得るためにクリックワッシャ２１に付与されるべきばね力を半分にでき、したがって、ヒンジ回動時に各係合箇所にかかる負荷が半分になる。上記の例でいえば、凸部４３が非係合状態でブラケット壁部３３に押圧されるときの押圧力が半分になる。これにより、係合箇所の摩耗を軽減でき、摩耗に伴う保持力低下を防止できる。
【００４０】
この点に関し、本実施の形態の構成において、係合箇所が１つの場合の負荷が摩耗発生レベル以上であったとしても、係合箇所を２箇所にすることで、各係合箇所の負荷を摩耗発生レベル（臨界値）以下にできる。これにより、摩耗の発生を実質的になくすことができる。したがって、係合箇所を２箇所に増やすことで、保持力の耐久性を２倍以上にすることができ、２倍以上の信頼性を確保できる。
【００４１】
また、上記の実施の形態では、係合箇所を２箇所にしたことで、ディスプレイとＧＮＤの金属間接触箇所が２箇所になり、すなわち、ＧＮＤポイントが増加する。これにより、ＧＮＤ力が増し、ＧＮＤに関する電気的性能が向上する。
【００４２】
また、本実施の形態では、１つの凸部に対応して２つの凹部が設けられていたが、本発明の範囲内で、１つの凸部に対して３つ以上の凹部が設けられてもよく、逆に、１つの凸部に対して１つの凹部が設けられてもよい。
【００４３】
また、本実施の形態では、２つのヒンジ部に係合手段が設けられていた。しかし、本発明の範囲内で、片方のヒンジ部にのみ係合手段が設けられてもよい。
【００４４】
また、本実施の形態では、回動部材であるクリックワッシャに凸部が設けられ、固定部材であるブラケットに凹部が設けられた。これに対し、固定部材に凸部が設けられ、回動部材に凹部が設けられてもよい。
【００４５】
次に、図７〜図１０を参照し、上記の実施の形態の他の変形例を説明する。図７〜図１０では、ブラケットおよびクリックワッシャが模式的に示されている。
【００４６】
図７では、ブラケット５１の両側にクリックワッシャ５３が設けられている。各クリックワッシャ５３は、１つのアーム部５５を有し、アーム部５５に凸部５７が設けられている。２枚のクリックワッシャ５３は、ディスプレイと共に回動する。そして、ディスプレイが使用位置に達すると、２つの凸部５７がブラケット５１の両側から凹部５９に嵌り、係合する。図７の構成は、ディスプレイの両側のヒンジ部に設けられてもよく、片側のヒンジ部に設けられてもよい（図８、図９も同様）。
【００４７】
次に、図８は、ブラケット６１とクリックワッシャ６２を示している。図８では、クリックワッシャ６２が、半径の異なる２つの半円板で構成されている。そして、各半円板にアーム部６３、６４が設けられ、アーム部６３、６４に凸部６５、６６が設けられている。したがって、２つの凸部６５、６６は、回動軸Ｘからの距離が異なっている。これに伴い、凹部６７、６８も、回動軸Ｘから離れた位置に設けられている。
【００４８】
図９は、図８に類似した変形例である。図９では、ブラケット７１とクリックワッシャ７２が示されている。クリックワッシャ７２には２本のアーム部７３、７４が設けられており、アーム部７３とアーム部７４とは直角に設けられている。アーム部７３とアーム部７４では長さが異なっており、アーム部７３の方が長い。そして、アーム部７３の凸部７５が、アーム部７４の凸部７６よりも、回動軸Ｘから遠くに位置している。これに伴い、ブラケット７１でも、凹部７７と凹部７８では、回動軸Ｘからの距離が異なっている。
【００４９】
上記構成は、複数の凸部の半径（回動中心からの距離）を異ならせたことで、下記のように、少スペースで複数段階のロック（多角度ロック）を実現する場合に有利である。図１０は、クリックワッシャ８１およびブラケット８２の模式図である。図１０においても、クリックワッシャ８１には、長さの異なる２本のアーム８３、８４が設けられており、アーム８３、８４に凸部８５、８６が設けられており、したがって、凸部８５、８６では回動軸Ｘからの距離が異なっている。
【００５０】
図１０では、ブラケット８２に２本の凹部列、すなわち、４つの凹部８７ａ〜８７ｄと４つの凹部８８ａ〜８８ｄが設けられている。凹部８７ａ〜８７ｄは、凸部８５に対応しており、凹部８８ａ〜８８ｄは凸部８６に対応しており、したがって、凹部８７ａ〜８７ｄの方が、凹部８８ａ〜８８ｄよりも、回動軸Ｘからの距離が大きい。また、凹部８７ａ〜８７ｄと凹部８８ａ〜８８ｄでは、回動軸Ｘを中心とする凹部間の角度が同じであり、凹部間の角度（間隔）は狭く設定されている。
【００５１】
本実施の形態では、図１０に示されるように、凹部８７ａ〜８７ｄの列と凹部８８ａ〜８８ｄの列とは部分的に重なっている。そして、凹部８８ｃは、凹部８７ａ、８７ｂの間であって、半径方向内側に位置しており、同様に、凹部８８ｄは、凹部８７ｂ、８７ｃの間であって、半径方向内側に位置しており、このようにして少ないスペースで複数の凹部が配置されている。
【００５２】
上記構成において、ディスプレイと共にクリックワッシャ８１が回動すると、凸部８５、８６が凹部８７ａ、８８ａに係合し、続いて凹部８７ｂ、８８ｂに係合し、というように４箇所で凸部８５、８６が係合し、ディスプレイをロックする。
【００５３】
上記のように、図１０の構成では、凸部８５、８６の半径を異ならせたので、多角度ロックのための凹部列の半径が異なっている。これにより、凹部列を重ねることができ、凹部間隔を小さくすることができ、そして、小さなスペースにて、複数箇所同時係合を実現し、かつ、多角度ロックを実現している。
【００５４】
以上に本発明の実施の形態に係るディスプレイ装置について説明した。本実施の形態によれば、ディスプレイが使用位置まで回動したときに複数の係合箇所で係合するように構成された係合手段を設けたので、同じ保持力を得るための係合箇所への負荷を小さくでき、したがって係合箇所での負荷を軽減でき、これにより、係合手段の耐久性を向上でき、また、係合箇所の増加によりＧＮＤ力を向上し、電気的性能を向上できる。
【００５５】
また、本実施の形態では、ブラケットおよびクリックワッシャがそれぞれ固定部材および回動部材に相当している。本実施の形態によれば、係合手段が固定部材と回動部材とを備え、固定部材及び回動部材の一方が複数の凸部を有し、他方が複数の凹部を有しており、複数の凸部と複数の凹部が係合するように配置されており、このような構成により、複数の凸部を設けたことで、凸部への負荷とそれによる摩耗を軽減し、係合手段の耐久性を向上できる。
【００５６】
また、本実施の形態では、各々の凸部に対応して複数の凹部が周方向に離れて設けられており、これにより位相差が設けられ、複数の使用位置でディスプレイを使用可能になる。
【００５７】
また、本実施の形態では、複数の凸部の位置については、回動部材の回動中心からの距離がそれぞれ異なるように設定されており、これにより、図１０を参照して説明したように、複数の使用位置でディスプレイを使用可能にする構成を少スペースで提供できる。
【００５８】
また、本実施の形態では、ディスプレイ装置１が、車両の天井に搭載されるように構成されており、収納位置にてディスプレイ３の画面が天井を向き、使用位置でディスプレイ３が天井から垂れ下がるように設けられている。このような天井搭載型ディスプレイ装置は、装置の使用時や使用終了時はもとより、車両の後方進行時に運転手の視界を妨げないようにする場合など必然的にディスプレイ３の開閉回数が多くなるが、本実施の形態では、ディスプレイ装置１が天井搭載型ディスプレイ装置であり、天井に搭載されるディスプレイ装置において、係合手段の耐久性を向上し、また、ＧＮＤ能力を向上できる。
【００５９】
なお、本発明は上述の実施の形態に限定されず、上述した変形例の他にも当業者が本発明の範囲内で上述の実施の形態を変形可能なことはもちろんである。
【産業上の利用可能性】
【００６０】
以上のように、本発明に係るディスプレイ装置は、ディスプレイを使用位置に保持する係合手段の耐久性を向上し、また、ＧＮＤ能力を向上できるという効果を有し、車両用ディスプレイ装置等として有用である。
【図面の簡単な説明】
【００６１】
【図１】本発明の実施の形態におけるディスプレイ装置の分解斜視図
【図２】右ヒンジ部の分解斜視図
【図３】左ヒンジ部の分解斜視図
【図４】閉状態のディスプレイ装置を示す斜視図
【図５】半開状態のディスプレイ装置を示す斜視図
【図６】全開状態のディスプレイ装置を示す斜視図
【図７】ヒンジ部の変形例を示す図
【図８】ヒンジ部の変形例を示す図
【図９】ヒンジ部の変形例を示す図
【図１０】ヒンジ部の変形例を示す図
【図１１】従来のディスプレイ装置を示す図
【図１２】従来のディスプレイ装置を示す図
【図１３】従来のディスプレイ装置を示す図
【符号の説明】
【００６２】
１  ディスプレイ装置
２  ベース部
３  ディスプレイ
４  ヒンジ部
６  右ヒンジ部
７  左ヒンジ部
１１  右ブラケット
１３  右シャフト
１５  左ブラケット
１７  左シャフト
２１  クリックワッシャ
２３  スプリングプレート
２５  平座金
４３  凸部
４５，４７  凹部
【図１】
2006168402.tif 000003
【図２】
2006168402.tif 000004
【図３】
2006168402.tif 000005
【図４】
2006168402.tif 000006
【図５】
2006168402.tif 000007
【図６】
2006168402.tif 000008
【図７】
2006168402.tif 000009
【図８】
2006168402.tif 000010
【図９】
2006168402.tif 000011
【図１０】
2006168402.tif 000012
【図１１】
2006168402.tif 000013
【図１２】
2006168402.tif 000014
【図１３】
2006168402.tif 000015